Podtech/llm-jp-corpus-v4-ja_patent huggingface dataset:
(57)【要約】【課題】焼き鳥を調理する際の煙を周囲に放散することなく、快適な雰囲気で飲食できる焼き鳥提供用カウンターを提供すること。【解決手段】食品調理部１は多数脚の椅子２を備えたエンドレスのカウンター３の中に設けられ、このものは透明フード４と、透明フード４の天板４bに設けた排煙口４cに連通して設けたダクト５と、透明フード４の内部に設けた焼き上げ装置６とから成る。  このほか、透明フード４の周壁板４aの内外面の何れか一面に、ブラックライト用の隠しインクで表示された表示部７を設けるとともに、該表示部に紫外線が照射されるブラックライト８を備えて成る。【選択図】図１
2008107010.tif 000002
【特許請求の範囲】
【請求項１】
食品調理部と、該食品調理部の周囲に多数脚の椅子を備えたカウンターを設けて成る食品提供用カウンターにおいて、
前記食品調理部が透明フードと、該透明フードの頂部に設けたダクトと、該透明フード内に設けた焼き上げ装置とから成る焼き鳥提供用カウンター。
【請求項２】
透明フードの内外面の何れか一面に、ブラックライト用の隠しインクで表示された表示部を設けるとともに、該表示部に紫外線が照射されるブラックライトを備えて成る請求項１記載の焼き鳥提供用カウンター。
【発明の詳細な説明】
【技術分野】
【０００１】
本発明は、酒場や飲食店などのサービス系列の設備に属し、主として焼き鳥調理に適した焼き鳥提供用カウンターに関する。
【背景技術】
【０００２】
従来から回転寿司提供カウンターに見られるように、食品調理部の周囲に多数脚の椅子を備えたカウンターを設けたものが提供されているが、こと焼き鳥に関してはこのようなものが提案されていない。これは焼き鳥を調理する際の煙の問題が解決しないためで、すなわち、煙の出る厨房をエンドレスのカウンターの中に持ち込むものではないという固定観念から脱却できないためと思われる。
【発明の開示】
【発明が解決しようとする課題】
【０００３】
本発明は、焼き鳥を調理する際の煙を周囲に放散することなく、快適な雰囲気で飲食できる焼き鳥提供用カウンターを提供する。
【課題を解決するための手段】
【０００４】
本発明の請求項１に記載した焼き鳥提供用カウンターは、食品調理部と、該食品調理部の周囲に多数脚の椅子を備えたカウンターを設けて成る食品提供用カウンターにおいて、
前記食品調理部が透明フードと、該透明フードの頂部に設けた排煙口に吸引口を連通して設けたダクトと、該透明フード内に設けた焼き上げ装置とから成る。
請求項２に記載の焼き鳥提供用カウンターは請求項１記載の焼き鳥提供用カウンターにおいて、透明フードの内外面の何れか一面に、ブラックライト用の隠しインクで表示された表示部を設けるとともに、該表示部に紫外線が照射されるブラックライトを備えて成る。
【発明の効果】
【０００５】
本発明の焼き鳥提供用カウンターによれば、焼き鳥を焼き上げる際の煙は、透明フードの頂面に開口された排煙口からダクトによって吸引され快適な状態で飲食でき、しかも、焼き上げ装置は透明フード内に収められるから客にとっては安全な且つ衛生的な状態で焼き上げを視認できる上、その雰囲気の中で飲食できるから、より一層食指が動くこととなる。
【発明を実施するための最良の形態】
【０００６】
透明フードの頂面に設けるダクトは、別途厨房の排気装置に接続されるものから、独立の排煙装置に接続されるものなどであり、透明フードは透明な耐熱性合成樹脂板や耐熱性強化ガラス板で形成される。ブラックライトの紫外線で照射される表示部は、直接透明フードの内外面に表示されるものから、該内外面に貼着される透明フィルムに表示されるものなどである。
【実施例】
【０００７】
本発明の焼き提供用カウンターＡを実施例により説明すると、図１に示すように、食品調理部１と、食品調理部１の周囲全周に多数脚の椅子２を備えたカウンター３を設けて成る食品提供用カウンターにおいて、食品調理部１が平面視コ形の透明な耐熱強化ガラス板による周壁板４aと周壁板４aの上端に接合される同材質の天板４bから成る透明フード４と、透明フード４の天板４bに開口された排煙口４cに吸引口を連通して設け、端末を室内全体の排気処理に供される排気装置（図外）に接続されるから、独立した排煙装置（図外）に接続されるダクト５と、透明フード４の内部に設けられる焼き上げ装置（炭火炉やガスレンジなど）６とから成る。排煙装置の排気能力が大きいときは天板４bを省略できる。
【０００８】
このようにして成る焼き鳥提供用カウンターＡは、食品調理部１の焼き上げ装置６で焼き鳥を焼き上げるが、このときの煙や燃焼ガスはダクト５を介して室外へ処理され、焼き上がった焼き鳥はカウンター３で飲食する客に注文の仕様で提供され、客は煙に巻き込まれることなく快適な環境で一時を過ごすことができる。
このほか、透明フード４の周壁板４aの内外面の何れか一面に、仮想線で示した隠しインクで表示された表示部７を設け、この表示部７にブラックライト８の紫外線を照射させて表示部７の内容を表示するなどで、イベント会場での立食向けに演出できるものも提供される。
このように焼き鳥提供用カウンターＡは、エンドレスのカウンター３の中に厨房としてのダクト５を有する食品調理部１を一体化したものであるか、レイアウトの自在性に富み店内の雰囲気造りがし易い上、利用する客にとっては透明フード４を介して焼き鳥の焼き上げを透視できるから、煙や飛び火、油の飛びはねを受けることなく安全で快適な雰囲気が提供される。
また、透明フード４の周壁板４aや天板４bの内面に防煙防油性の透明フィルムを剥離自在に貼着したり、清掃し易くするために透明フード４を組立、取外し自在な構造とするなどでも提供される。このほか、ブラックライト８の紫外線による食材の宣伝効果により、より一層客の食指を動かすことになる。
なお、カウンター３やカウンター３に対する透明フード４の接合構造を分解組立て自在なものとしたり、カウンター３を支える脚９を伸縮自在とすること、脚９の下端に移動停止自在なキャスターを設けてイベント会場向けに構成するなどは本発明から容易に想起される。
【産業上の利用可能性】
【０００９】
本発明は、エンドレスのカウンターにつく客に快適な雰囲気で焼き鳥を提供できるから、飲食業関係のサービス形態を活性化するとともに、ブラックライトの技術を併用するなどでイベント会場での立食の演出効果も図られ、大いにその利用が期待される。
【図面の簡単な説明】
【００１０】
【図１】本発明に係わる焼き鳥提供用カウンターＡの斜視図。
【符号の説明】
【００１１】
１：食品調理部
２：椅子
３：カウンター
４：透明フード
４ａ：周壁板
４ｂ：天板
４ｃ：排煙口
５：ダクト
６：焼き上げ装置
７：表示部
８：ブラックライト
９：脚
Ａ：焼き鳥提供用カウンター
【図１】
2008107010.tif 000003
(57)【要約】【課題】回転多面鏡を回転軸に固定するための押さえばね等による風損を低減する。【解決手段】回転多面鏡２は、押さえばね６およびばね押さえ板７によってロータボス５に固定され、ロータボス５を介して回転軸１と一体的に結合される。回転多面鏡２の内径を段差部２ｂを残して拡大して内径拡大部２ｃを形成し、段差部２ｂへ押さえばね６を当接する。内径拡大部２ｃ内に押さえばね６およびばね押さえ板７を収容することによって、回転時の風損を低減し、かつ、回転部の重心位置を低くすることができる。【選択図】図１
2008107584.tif 000002
【特許請求の範囲】
【請求項１】
回転軸と一体であるロータボスを有するロータと、前記ロータボスに嵌合する内径部を有する回転多面鏡と、前記回転多面鏡を前記ロータボスに固定するための弾性押圧手段と、を有し、前記弾性押圧手段による風損を低減するために、前記回転多面鏡の前記内径部に同心状の内径拡大部を形成し、前記内径拡大部に前記弾性押圧手段を収容したことを特徴とする偏向走査装置。
【請求項２】
前記回転多面鏡の前記内径拡大部の軸方向の寸法が、前記回転多面鏡の厚さｔに対して０．６ｔから０．８ｔの範囲であることを特徴とする請求項１記載の偏向走査装置。
【請求項３】
前記回転多面鏡の前記内径拡大部の直径が、前記回転多面鏡の外径ｄに対して０．６ｄから０．８ｄの範囲であることを特徴とする請求項１または２記載の偏向走査装置。
【請求項４】
前記回転多面鏡の前記内径拡大部から前記回転軸が突出しないように構成されていることを特徴とする請求項１ないし３いずれか１項記載の偏向走査装置。
【発明の詳細な説明】
【技術分野】
【０００１】
本発明は、レーザービームプリンタや複写機、レーザーファクシミリ等の画像形成装置に用いられる偏向走査装置に関するものである。
【背景技術】
【０００２】
偏向走査装置に搭載されるスキャナモータは、レーザービームプリンタや複写機、レーザーファクシミリ等の光学ユニットのスキャニングに広く利用される。近年はカラー化、マルチビーム化により、回転多面鏡の厚さも従来の３倍程度となってきており、回転部の重心位置が高くなり軸受寿命の低下が考えられる。また、高速プリント、高密度プリントの要求により高速回転、高精度、低損失の回転装置が必要とされている。
【０００３】
図２は、一従来例による偏向走査装置の主要部を示すもので、中心軸Ｏのまわりに回転する回転軸１０１と、外径部に反射面１０２ａを有する回転多面鏡１０２と、ロータマグネット１０３、ロータヨーク１０４、ロータボス１０５を含むロータ等を有する。
【０００４】
回転軸１０１は、ロータボス１０５に圧入固定され、回転多面鏡１０２は、ロータボス１０５に押さえばね１０６を介して、ばね押さえ板１０７で固定される。ロータマグネット１０３はロータヨーク１０４に固定され、ロータヨーク１０４はロータボス１０５に固定されてロータを構成している。
【０００５】
近年では、偏向走査装置の高速化が進み、特許文献１および特許文献２に開示されたように、回転多面鏡の高速化による風損を低減するためにカバーを設ける等の工夫がなされている。
【特許文献１】特開２００１−３０５４６８号公報
【特許文献２】特開平８−２０５４５１号公報
【発明の開示】
【発明が解決しようとする課題】
【０００６】
しかしながら、上記従来の構成では、回転多面鏡を含む回転部が厚くなることで、偏向走査装置全体の全高が高くなり、回転部の重心位置も高くなる。それにより軸受部へのダメージが増大し、寿命が低下する。また、押さえばねが回転多面鏡の上へ突出している構成では、高速回転時の風損が大きくなるという問題がある。
【０００７】
本発明は、上記従来の技術の有する未解決の課題に鑑みてなされたものであり、回転多面鏡の押さえばね等による風損を低減し、かつ回転部の重心位置を低くすることができる偏向走査装置を提供することを目的とするものである。
【課題を解決するための手段】
【０００８】
本発明の偏向走査装置は、回転軸と一体であるロータボスを有するロータと、前記ロータボスに嵌合する内径部を有する回転多面鏡と、前記回転多面鏡を前記ロータボスに固定するための弾性押圧手段と、を有し、前記弾性押圧手段による風損を低減するために、前記回転多面鏡の前記内径部に同心状の内径拡大部を形成し、前記内径拡大部に前記弾性押圧手段を収容したことを特徴とする。
【発明の効果】
【０００９】
回転多面鏡の内径部に内径拡大部および段差部を形成し、その段差部に、押さえばね等を含む弾性押圧手段を組み付ける。
【００１０】
弾性押圧手段全体を回転多面鏡の内径拡大部に収容することで、回転時の風損を低減させ、かつ重心位置を低くすることができる。
【発明を実施するための最良の形態】
【００１１】
本発明を実施するための最良の形態を図面に基づいて説明する。
【実施例】
【００１２】
図１に示すように、本実施例の偏向走査装置は、中心軸Ｏのまわりに回転する回転軸１と、外径部に反射面２ａを有する回転多面鏡２と、ロータマグネット３、ロータヨーク４、ロータボス５を含むロータ等を有する。回転多面鏡２は、押さえばね６およびばね押さえ板７からなる弾性押圧手段によってロータボス５に固定されている。
【００１３】
回転軸１は、ロータボス５に圧入固定される。ロータマグネット３はロータヨーク４に固定され、ロータヨーク４はロータボス５に固定されてロータを構成している。
【００１４】
回転多面鏡２の内径部には、段差部２ｂおよび内径拡大部２ｃが形成され、内径拡大部２ｃの軸方向の寸法は、回転多面鏡２の厚さｔの０．６ｔから０．８ｔの範囲である。
【００１５】
また、内径拡大部２ｃの直径は、回転多面鏡２の外径ｄの０．６ｄから０．８ｄの範囲である。
【００１６】
押さえばね６およびばね押さえ板７は回転多面鏡２の内径拡大部２ｃに収容され、段差部２ｂに押圧される。このように、回転多面鏡２の内径拡大部２ｃ内に押さえばね６等を含む弾性押圧手段全体を収容することで、回転時の風損を大幅に低減することができる。また、弾性押圧手段は、回転多面鏡２の段差部２ｂをロータボス５に押圧するものであるため、回転軸１は回転多面鏡２の上面から突出させる必要がない。従って、回転部の重心位置を低くすることができる。
【産業上の利用可能性】
【００１７】
本発明の偏向走査装置は、レーザービームプリンタや光ディスク装置、磁気ディスク装置等に用いられる。
【図面の簡単な説明】
【００１８】
【図１】一実施例による偏向走査装置の主要部を示す模式断面図である。
【図２】一従来例を示す模式断面図である。
【符号の説明】
【００１９】
１    回転軸
２    回転多面鏡
２ａ    反射面
２ｂ    段差部
２ｃ    内径拡大部
３    ロータマグネット
４    ロータヨーク
５    ロータボス
６    押さえばね
７    ばね押さえ板
【図１】
2008107584.tif 000003
【図２】
2008107584.tif 000004
(57)【要約】【課題】回転多面鏡をロータボスに組み付ける際に、回転多面鏡とロータボスのカジリが発生して面倒れ精度が悪化するのを防ぐ。【解決手段】回転多面鏡２は、その内径部２ｂを回転軸１と一体であるロータボス５の嵌合部５ａに嵌合させ、押さえばね６とばね押さえ板７によってロータボス５に固定される。回転多面鏡２とロータボス５の嵌合部５ａの最小クリアランスは１μｍ〜４μｍであり、嵌合させるときにカジリが発生しやすいため、ロータボス５の嵌合部５ａの高さ（嵌合高さ）を１．０ｍｍから２．０ｍｍに限定する。また、嵌合高さの１／２には１５〜３０°のテーパーを設ける。【選択図】図１
2008107585.tif 000002
【特許請求の範囲】
【請求項１】
回転軸と一体であるロータボスを有するロータと、前記ロータボスに嵌合する内径部を有する回転多面鏡と、前記回転多面鏡を前記ロータボスに固定するための固定手段と、を有し、前記回転多面鏡の前記内径部を嵌合させる前記ロータボスの嵌合高さが、１．０〜２．０ｍｍの範囲であることを特徴とする偏向走査装置。
【請求項２】
前記回転多面鏡の前記内径部と前記ロータボスの最小クリアランスは、１〜４μｍの範囲であることを特徴とする請求項１記載の偏向走査装置。
【請求項３】
前記ロータボスの前記嵌合高さの１／２は、テーパー角１５〜３０°のテーパーを有することを特徴とする請求項１または２記載の偏向走査装置。
【発明の詳細な説明】
【技術分野】
【０００１】
本発明は、レーザービームプリンタや複写機、レーザーファクシミリ等の画像形成装置に用いられる偏向走査装置に関するものである。
【背景技術】
【０００２】
偏向走査装置の主要部を構成するスキャナモータは、レーザービームプリンタや複写機、レーザーファクシミリ等の光学ユニットのスキャニングに広く利用される。近年はカラー化、マルチビーム化により、回転多面鏡の厚さも従来の３倍程度となり、高精度の回転装置が必要とされている。
【０００３】
図３は、特許文献１等に開示された従来例を示すもので、回転軸１０１と、反射面１０２ａを有する回転多面鏡１０２を備えている。回転軸１０１は、ロータボス１０５に圧入固定され、回転多面鏡１０２は、その内径部に嵌合するロータボス１０５を加締めることで固定されている。
【０００４】
また、回転多面鏡にロータボスを嵌合させ、押さえばね等を用いて固定する構成も知られている。
【特許文献１】特開平９−２１９７４号公報
【発明の開示】
【発明が解決しようとする課題】
【０００５】
上記従来の構成において、高精度化を行うためには回転多面鏡とロータボスのクリアランスを狭める必要があるが、回転多面鏡が厚い場合は、ロータボスに組み付ける際に回転多面鏡とロータボスのカジリが発生し、面倒れ精度が悪化する問題があった。
【０００６】
本発明は、従来の技術の有する未解決の課題に鑑みてなされたものであり、回転多面鏡を回転軸と一体であるロータボスに組み付けるときにカジリが発生するのを回避できる偏向走査装置を提供することを目的とするものである。
【課題を解決するための手段】
【０００７】
本発明の偏向走査装置は、回転軸と一体であるロータボスを有するロータと、前記ロータボスに嵌合する内径部を有する回転多面鏡と、前記回転多面鏡を前記ロータボスに固定するための固定部と、を有し、前記回転多面鏡の前記内径部を嵌合させる前記ロータボスの嵌合高さが、１．０〜２．０ｍｍの範囲であることを特徴とする。
【発明の効果】
【０００８】
ロータボスの嵌合部の高さを１．０〜２．０ｍｍの範囲に限定することにより、回転多面鏡とロータボスのクリアランスが小さい場合でも、回転多面鏡とロータボスを嵌合させるときのカジリを防ぎ、カジリによる面倒れ精度の悪化を回避できる。
【発明を実施するための最良の形態】
【０００９】
本発明を実施するための最良の形態を図面に基づいて説明する。
【００１０】
図１は一実施の形態による偏向走査装置の主要部を示すもので、回転中心Ｏを有する回転軸１と、反射面２ａを有する回転多面鏡２とを備えている。ロータマグネット３は、ロータヨーク４に固定され、ロータヨーク４は、ロータボス５に固定されてロータマグネット３とともにロータを構成している。
【００１１】
回転軸１は、ロータボス５に圧入固定され、回転多面鏡２は、その内径部２ｂをロータボス５に嵌合させ、押さえばね６およびばね押さえ板７からなる固定手段によってロータボス５に固定される。
【００１２】
図２に拡大して示すように、回転多面鏡２の内径部２ｂが嵌合されるロータボス５の嵌合部５ａの高さ（嵌合高さ）ｈは、１．０ｍｍから２．０ｍｍとなるように構成される。
【００１３】
回転多面鏡２の内径部２ｂとロータボス５の嵌合部５ａの最小クリアランスは、１μｍから４μｍとする。ロータボス５の嵌合高さｈの１／２には、テーパー角１５〜３０°のテーパーを設ける。
【００１４】
このようにテーパーを有し、かつ高さの限定された嵌合部を有するロータボスを用いることで、クリアランスが小さくても回転多面鏡の組み付け時のカジリを防ぎ、面倒れ精度の悪化を低減することができる。
【産業上の利用可能性】
【００１５】
本発明の偏向走査装置は、レーザービームプリンタや光ディスク装置、磁気ディスク装置等に用いられる。
【図面の簡単な説明】
【００１６】
【図１】一実施の形態による偏向走査装置の主要部を示す模式断面図である。
【図２】図１のロータボスを拡大して示す拡大部分断面図である。
【図３】一従来例を示す図である。
【符号の説明】
【００１７】
１    回転軸
２    回転多面鏡
２ａ    反射面
２ｂ    内径部
３    ロータマグネット
４    ロータヨーク
５    ロータボス
５ａ    嵌合部
６    押さえばね
７    ばね押さえ板
【図１】
2008107585.tif 000003
【図２】
2008107585.tif 000004
【図３】
2008107585.tif 000005
(57)【要約】      （修正有）【課題】新酒の象徴である杉だまを新酒の紹介とともに掲示した看板となる掲示要素を提供する。【解決手段】新酒掲示板１と、その下方に設けられる屋根構造吊下体２と、屋根構造吊下体２に紐３で吊下される杉だま４とから成る。このほか、新酒掲示板１と屋根構造吊下体２との間に照明部５を配設したものも提供される。【選択図】図２
2008107588.tif 000002
【特許請求の範囲】
【請求項１】
酒場の店頭に配列される新酒掲示板と、その下方に設けられる屋根構造吊下体と、該屋根構造吊下体に吊下される杉だまとから成る掲示要素。
【請求項２】
前記新酒掲示板と屋根構造吊下体との間に、照明灯を上方に向けた照明部を配設して成る請求項１記載の掲示要素。
【発明の詳細な説明】
【技術分野】
【０００１】
本発明は、飲食店主として日本酒を提供する酒場の店頭に掲示される掲示要素に関する。
【背景技術】
【０００２】
従来から日本酒の蔵元では、新酒ができ上がると、店頭に杉だま（酒林：さかばやし）を吊るしてそれを知らせる風習があるが、日本酒を扱う酒場などで杉だまを利用した掲示技術は未だ提案されていない。
【発明の開示】
【発明が解決しようとする課題】
【０００３】
本発明は新酒の象徴である杉だまを新酒の紹介とともに掲示した看板となる掲示要素を提供する。
【課題を解決するための手段】
【０００４】
本発明の請求項１に記載した掲示要素は、酒場の店頭に配列される新酒掲示板と、その下方に設けられる屋根構造吊下体と、該屋根構造吊下体に吊下される杉だまとから成る。
請求項２に記載した掲示要素は、請求項１記載の掲示要素において、前記新酒掲示板と屋根構造吊下体との間に照明灯を上方に向けた照明部を配設して成る。
【発明の効果】
【０００５】
本発明によれば、酒場の店頭に各銘柄の新酒の入荷が掲示されるから、左党へのサービス向上に資するばかりでなく、一目で好みの銘柄を確認できるとともに、杉だまの香りと新酒のイメージによる相乗効果作用でより一層客足を引きつける効果がある。
【発明を実施するための最良の形態】
【０００６】
店頭に配列される新酒掲示板は上端を前傾姿勢で掲示され、屋根構造吊下体は屋根構造を模式的に妻側を正面に向けたものや、軒先側を正面に向けたものまで提供され、杉だまは頂部を吊下した紐によって直接屋根構造吊下体の棟木に吊下されるものから、フックなどの金具を介して吊下されるなどである。また、照明部の照明灯はライトアップの角度が調節自在のものを良しとする。
【実施例】
【０００７】
本発明の掲示要素Ａを実施例により説明すると、図１に示すように、各蔵元の新酒銘柄等を掲示する木材の新酒掲示板１と、屋根構造を模式的に妻側から見た木材の屋根構造吊下体２と、屋根構造吊下体２に紐３を介してその棟木に吊下される杉だま４とから成るを基本とし、本実施例では新酒掲示板１を下からライトアップできるように、新酒掲示板１と屋根構造吊下体２との間に照明角度を調節自在として上方へ照明灯を向けた照明部５を設けたものである。
【０００８】
このようにして成る掲示要素Ａは図２に示すように、新酒掲示板１が建物の前部壁面６に取付け金具７で固定され、同様に照明部５も屋根構造吊下体２もそれぞれ前部壁面６に適宜に固定され、図３に示すように酒場８などの店頭の上部に所要数横配列されて使用される。
したがって、客は店の前で好みの新酒を確認できるから利用し易くなるばかりでなく、杉の葉の香りと新酒のイメージの相乗効果で店にすい込まれる。
また、照明部５はライトアップのみに限定されるものではなく、上方からでも横方向からでも間接照明で新酒掲示板１を照明できる。
なお、新酒掲示板１には前記の新酒銘柄が上部に掲げられ、下部に新酒出荷の年月日や蔵元名、創業年、住所、杜氏名などが掲示される。
【産業上の利用可能性】
【０００９】
本発明の掲示要素は、酒場の店頭のみならず蔵元の店頭にも掲示できるから、その利用範囲は広大となり、新酒掲示板１や屋根構造吊下体２に供給される木材や照明部５に使用する照明灯などの需要の活性化に資するものである。
【図面の簡単な説明】
【００１０】
【図１】本発明に係わる掲示要素Ａの正面図。
【図２】図１の右側面図。
【図３】掲示要素Ａの使用状態の説明図。
【符号の説明】
【００１１】
１：新酒掲示板
２：屋根構造吊下体
３：紐
４：杉だま
５：照明部
６：前部壁面
７：取付け金具
８：酒場
Ａ：掲示要素
【図１】
2008107588.tif 000003
【図２】
2008107588.tif 000004
【図３】
2008107588.tif 000005
(57)【要約】      （修正有）【課題】駅周辺で主として会社勤めの女性をターゲットとして配布することにより、パソコン用のマウスパッドやテーブルマットなどに利用させながら、駅周辺の商業施設や医療施設について広告効果が得られるようにした、駅周辺地域情報付きシートを提供する。【解決手段】パソコン用のマウスパッドやテーブルマットとして利用可能のシート１の表面には模様や絵などが施されるが、同シート１の裏面１ｂには、駅周辺地域の地図３と、同地域に所在の美容施設および飲食店を含む商業施設ならびに医療施設を表示した電話番号一覧表４が記載され、要すればシート１の一部にカレンダーが記載される。【選択図】図２
2008107744.tif 000002
【特許請求の範囲】
【請求項１】
パソコン用のマウスパッドとして利用可能のシートにおいて、同シートの裏面に、駅周辺に所在の美容施設および飲食店を含む商業施設ならびに医療施設を表示した電話番号一覧表が設けられていることを特徴とする、駅周辺地域情報付きシート。
【請求項２】
上記シートの一部に、カレンダーが記載されていることを特徴とする、請求項１に記載の駅周辺地域情報付きシート。
【請求項３】
上記シートをテーブルマットとして利用すべく、同シートの表面に模様が施されていることを特徴とする、請求項１または２に記載の駅周辺地域情報付きシート。
【発明の詳細な説明】
【技術分野】
【０００１】
本発明は、鉄道の駅の出入口付近で広告のため配布するのに適した駅周辺地域情報付きシートに関する。
【背景技術】
【０００２】
一般に会社勤めのＯＬ達が、駅周辺で美容院やマッサージ店を利用したり、衣服の専門店やアクセサリーの販売店あるいは日用雑貨類，食料品等の販売店，飲食店等を利用したりする際の資料としては、新聞の折込み広告を利用したり、駅周辺で配布されるチラシを参照したりすることが行われているが、これらの広告類は直ちに捨てられることが多く、コストの割に効果が少ないとう不具合がある。
【０００３】
そこで、カレンダーや駅周辺地域の地図に、種々の店舗や医療施設，歯科医院などの広告を併記したものが配布されたり、飲食店のランチョンマットに広告を表示したりすることも行われているが、大幅なコスト高を招きながら、十分な効果が得られていない。
【特許文献１】実用新案登録第３０８７７１４号公報
【発明の開示】
【発明が解決しようとする課題】
【０００４】
本発明は、駅周辺で主として会社勤めの女性をターゲットとして配布することにより、パソコン用のマウスパッドやテーブルマットなどに利用させながら、駅周辺の商業施設や医療施設について広告効果が得られるようにした、駅周辺地域情報付きシートを提供することを課題とする。
【課題を解決するための手段】
【０００５】
本発明の駅周辺地域情報付きシートは、パソコン用のマウスパッドとして利用可能のシートにおいて、同シートの裏面に、駅周辺に所在の美容施設および飲食店を含む商業施設ならびに医療施設を表示した電話番号一覧表が設けられていることを特徴としている。
【０００６】
また、本発明の駅周辺地域情報付きシートは、上記シートの一部に、カレンダーが記載されていることを特徴としている。
【０００７】
さらに、本発明の駅周辺地域情報付きシートは、上記シートをテーブルマットとして利用すべく、同シートの表面に模様が施されていることを特徴としている。
【発明の効果】
【０００８】
上述の本発明の駅周辺地域情報付きシートでは、駅周辺でこのシートの配布を受けた女性などの通行人は、同シートの裏面に表示された駅周辺地域の美容施設および飲食店を含む商業施設ならびに医療施設を表示した電話番号一覧表を見て便利に思い、勤務先に持参したり、自宅に持ち帰るようになって、パソコン用のマウスパッドとして用いることも行われるので、長期にわたり広告効果が得られるようになる。
【０００９】
そして、上記シートの表面の一部にカレンダーを記載しておくことにより、その利便性が一層高められるようになる。
【００１０】
また、上記カレンダーを３カ月分程度にわたり記載して年４回の更新を行うようにすれば、美容施設および飲食店を含む商業施設や医療施設についての情報を常に最新のものに保てるようになる効果も得られる。
【００１１】
さらに、上記シートをテーブルマットとしても利用できるように同シートの表面に模様を施しておけば、同シートの利用価値がさらに高められるようになる。
【実施例】
【００１２】
図１は本発明の一実施例としての駅周辺地域情報付きシートの表面を示す平面図、図２は図１の駅周辺地域情報付きシートの裏面を示す平面図である。
図１に示すように、主として女性（特に会社勤めの女性）がパソコン用のマウスパッドやテーブルマットとしても利用できるシート１の表面１ａには、花柄や風景画あるいは幾何学模様のごとき装飾が施されている。なお、シート１の表面１ａは、無地として適宜の色彩を有するものでもよい。
【００１３】
さらに、シート１の一部には、カレンダー２が記載されており、本実施例では、同カレンダー２は３カ月分程度とされる。なお、図示の例では、カレンダー２はシート１の表面１ａに記載されているが、同カレンダー２をシート１の裏面に記載するようにしてもよい。
【００１４】
図２に示すように、シート１の裏面１ｂには、所要の鉄道駅周辺地域の地図３が施されており、また同地図３に示された地域に所在の美容院およびエステサロンを含む商業施設ならびにレンストラン等の飲食店および医療施設としての病院や歯科医院などが印刷により示されている。
【００１５】
また、地図３に示された上記商業施設およびレストラン，医療施設などの電話番号一覧表４も、シート１の裏面１ｂに記載されている。
【００１６】
なお、シート１の表面１ａは、パソコン用のマウスパッドとして利用しやすいように、粗面として形成されている。
【００１７】
上述の本実施例の駅周辺地域情報付きシートでは、駅周辺でこのシート１の配布を受けた女性や他の利用客は、同シート１の裏面に表示された駅周辺地域の地図３と商業施設ならびにレストラン等の飲食店や医療施設を表示した電話番号一覧表４とを見て便利に思い、勤務先に持参したり、自宅に持ち帰るようになって、パソコン用のマウスパッドとして用いることも行われるので、長期にわたり広告効果が得られるようになる。
【００１８】
そして、シート１の表面１ａの一部にカレンダー２を記載しておくことにより、その利便性が一層高められるようになる。なお、カレンダー２はシート１の裏面１ｂに記載するようにしてもよい。
【００１９】
また、カレンダー２を３カ月分程度にわたり記載して年４回の更新を行うようにすれば、商業施設や医療施設についての情報を常に最新のものに保てるようになる効果も得られる。
【００２０】
さらに、シート１をテーブルマットとしても利用できるように同シート１の表面１ａに模様が施されることにより、同シート１の利用価値がさらに高められるようになる。
【図面の簡単な説明】
【００２１】
【図１】本発明の一実施例としての駅周辺地域情報付きシートの表面を示す平面図である。
【図２】図１の駅周辺地域情報付きシートの裏面を示す平面図である。
【符号の説明】
【００２２】
１  シート
１ａ  シート表面
１ｂ  シート裏面
２  カレンダー
３  地図
４  電話番号一覧表
【図１】
2008107744.tif 000003
【図２】
2008107744.tif 000004
(57)【要約】【課題】“まくれ”を検知することができるガラス容器を検査するための装置を提供すること。【解決手段】ガラス壜の“まくれ”の有無を検査するための装置。底部の光が光を垂直方向上方へ導き、上方からガラス壜の像を結像するカメラに像を結ばせる。ビームスプリッタは、水平方向の光を射出する第二の光源からの光をシール面に向かって垂直方向下方へ再配向させる。壜の口は白色に見え、シール面は灰色に見え、灰色に見えている段部上の“まくれ”によって、環状段部が黒色に見える。  【選択図】図１
2008107325.tif 000002
【特許請求の範囲】
【請求項１】
ガラス壜のシール面の穴の内側隅部に規定される環状段部の内側端縁から上方へ突出している“まくれ”の有無を検査するための装置であり、
検査ステーションに前記ガラス壜を垂直方向に支持する手段と、
前記ガラス壜の底部を通って垂直方向上方へ光を導くための第一の光源と、
前記ガラス壜のシール面の像を結ばせるためのカメラ手段であり、前記シール面の上方に配置された視野レンズを含んでいるカメラ手段と、
前記視野レンズと前記シール面との間に配置されたビームスプリッタと、
水平方向に向けられた光を、前記シール面に向かって垂直方向下方へ再配向するために、光を前記ビームスプリッタに向かって水平方向に導く第二の光源と、を含み、
前記穴が明るく見え、前記シール面が灰色に見え、前記環状段部が黒色に見え、前記“まくれ”が灰色に見えるようになされた装置。
【請求項２】
請求項１に記載の“まくれ”の有無を検査するための装置であり、前記第二の光源がＬＥＤパネルである装置。  
【請求項３】
請求項１に記載の“まくれ”の有無を検査するための装置であり、前記カメラ手段がＣＣＤカメラを含んでいる装置。
【発明の詳細な説明】
【技術分野】
【０００１】
本発明は、ガラス容器のシール面の“まくれ”の有無を検査する装置に関する。
【背景技術】
【０００２】
ガラス壜の形成においては、最初に、溶融ガラスのゴブが“パリゾン”に成形され、次いで、当該パリゾンが壜に成形される。パリゾンは、プランジャがゴブを含むブランク型内に進入せしめられて、一杯まで進入せしめられたプランジャと型との間の空間に溶融ガラスが強制的に充填される加圧プロセスによって成形される。このプロセスにおいては、過剰な力をかけることが可能であり、こり過剰な力は、型をほんの少し開かせることができ、この開いた部分に溶融ガラスの極めて薄い破片が押し込まれてる。この破片は、壜のシール面が設けられた壜の開口の内側端縁から上方へ延び、これは極めて望ましくない。
【特許文献１】なし
【発明の開示】
【発明が解決しようとする課題】
【０００３】
本発明は、上記した“まくれ”を検知することができるガラス容器を検査するための装置を提供することを目的とする。
【課題を解決するための手段】
【０００４】
本発明に従って、ガラス壜のシール面の穴の内側隅部に規定される環状段部の内側端縁から上方へ突出している“まくれ”の有無を検査するための装置が提供される。当該装置は、検査ステーションに前記ガラス壜を垂直方向に支持する手段と、前記ガラス壜の底部を通って垂直方向上方へ光を導くための第一の光源と、前記ガラス壜のシール面の像を結ばせるためのカメラ手段であり、前記シール面の上方に配置された視野レンズを含んでいるカメラ手段と、前記視野レンズと前記シール面との間に配置されたビームスプリッタと、水平方向に向けられた光を、前記シール面に向かって垂直方向下方へ再配向するために、光を前記ビームスプリッタに向かって水平方向に導く第二の光源とを含み、前記穴が明るく見え、前記シール面が灰色に見え、前記環状段部が黒色に見え、前記“まくれ”が灰色に見えるようになされている。
【０００５】
本発明のその他の目的及び利点は、特許法の法令に従って本発明の原理を組み入れている現在の好ましい実施形態を示している添付図面によって明らかとなるであろう。
【発明の効果】
【０００６】
本発明の装置によれば、望ましくない“まくれ”が画像により明確に検知することができる。
【発明を実施するための最良の形態】
【０００７】
本発明は、特許法の法令に従って現在のところ好ましい実施形態を示している添付図面から明らかとなるであろう。
当該検査装置は、対向しているベルトの対１０によって作られたベルト型のコンベアを備えており、当該コンベアは、ガラス壜１２を開示された検査ステーションへ給送する。ガラス壜の下には光源１４が設けられており、光源１４は、光を壜内で軸線方向に導く。光は、ガラス壜の口１６、ビームスプリッタ１８、視野レンズ２０を介してカメラ２２へと通過し、カメラ２２において、光がカメラのマトリックス上に結像されるであろう。この像は、コンピュータ３０に送られ、コンピュータ３０において評価され、画像がスクリーン３２上に表示される。垂直方向に向けられたＬＥＤパネル２６が、光をビームスプリッタ１８へと水平方向に導き、ビームスプリッタ１８は、光の一部分をガラス壜の頂部（シール面）２８において垂直軸線方向下方へと反射する。
【０００８】
図２は、ＬＥＤ光源がオフ状態とされたときのガラス壜の頂部の像である。ガラス壜の首部の垂直穴が明るく（白色に）見え、一方、像の残りの部分は黒である。
【０００９】
図３は、平らなシール面２８と若干傾斜している極めて小さな内側段部２７（明確化のために、この段部は実際よりも遙かに大きく示されている）とを有している壜の頂部を示している。垂直方向上方へ突出しているのは、“まくれ”４０であり、これは、前記段部の内側端縁の一部分に沿って延びている。“まくれ”は、破損して落下するかも知れないので極めて望ましくない。
【００１０】
図４は、底部光源１４とＬＥＤ２６の光源とが“オン”状態の図３に示されたガラス壜の頂部の像を示している。首部の穴は、明るく即ち白色であり続ける。十分な光がシール面から上方へ反射してシール面を灰色に見えさせる。灰色領域と明るい領域との間の環状の黒い領域４２は、灰色に見えている“まくれ”を有する環状段部２７を規定している。“まくれ”は強調されており、この照明は、“まくれ”が配置された明確な環状リング４２を規定している。
【図面の簡単な説明】
【００１１】
【図１】図１は、本発明の教示に従ってなされた“まくれ”の有無を検査するためのガラス検査装置の正面図である。
【図２】図２は、図１に示されたカメラによって結像された壜の頂面図である。
【図３】図３は、ガラス壜の首部の断面図である。
【図４】図４は、“まくれ”の存在を示している図２に似た図である。
【符号の説明】
【００１２】
１０  ベルトの対、
１２  ガラス壜、
１４  光源、
１６  ガラス壜の口、
１８  ビームスプリッタ、
２０  視野レンズ、
２２  カメラ、
２６  ＬＥＤパネル、
２７  内側段部、
２８  シール面、
３０  コンピュータ、
３２  スクリーン、
４０  “まくれ”
【図１】
2008107325.tif 000003
【図２】
2008107325.tif 000004
【図３】
2008107325.tif 000005
【図４】
2008107325.tif 000006
(57)【要約】【課題】寝たきりの老人には寝ているべき時刻か起きているべき時刻か判別しにくかった。それにより、昼夜の感覚が狂い、生活のリズムがくずれる、また介護者へ負担を与える事があった。また幼児にとっては、時刻を見ても、寝るべき時刻か起きる時刻か判断が難しかった。【解決手段】置き時計を、寝ころんだり、起きたりするぬいぐるみ、および人形の形態にし、一目で寝ているべき時刻か、起きているべき時刻か判断することができる。【選択図】図１
2008107308.tif 000002
【特許請求の範囲】
【請求項１】
寝る・起きるの生態を持つ動物、および人間、およびキャラクターの形状をし、設定時刻により形状が変わることを特徴とした置き時計。
【発明の詳細な説明】
【技術分野】
【０００１】この発明は、置き時計の時刻告知に関する。
【背景技術】
【０００２】従来の置き時計は、現在時刻を告知し、設定時刻にアラームを鳴らす機能が設けられたものである。
【発明の開示】
【発明が解決しようとする課題】
【０００３】しかしながら、以上の技術によれば、寝たきりの老人には寝ているべき時刻か起きているべき時刻か判別しにくかった。それにより、昼夜の感覚が狂い、生活のリズムがくずれる、また介護者へ負担を与える事があった。また幼児にとっては、時刻を見ても、寝るべき時刻か起きる時刻か判断が難しかった。
そこで、この発明は、寝るべき時刻か起きているべき時刻かを一目で明確に理解できる置き時計を提供することを課題とする。
【課題を解決するための手段】
【０００４】以上の課題を解決するために、第一発明は、寝る・起きるの生態を持つ動物、および人間、およびキャラクターの形状をしたぬいぐるみ、および人形の形にすることを特徴とする置き時計である。
また、第二発明は、そのぬいぐるみ、および人形が設定時刻により形態が変わることを特徴とする置き時計である。
【発明の効果】
【０００５】第一発明、または第二発明によれば、置き時計がぬいぐるみ、および人形の形態をしており、設定時刻に形状が変わる事により、寝るべき時刻か起きているべき時刻かを一目で判断することができる。
【発明を実施するための最良の形態】
【０００６】この発明の一実施形態を図１に示す。
ぬいぐるみ、および人形の上半身１は、設定された起床時刻に、時計５からの起きる電気信号によりモーター駆動で４の動作起き上がる。また、設定された就寝時刻で、時計５からの寝る電気信号によりモーター駆動で３の動作で寝ころぶ。
ぬいぐるみ、および人形の下半身２には、充電式バッテリーとモーター６およびギア７、８、９、１０、リンク１１、１２、および時計制御部が設けられている。
この発明の内部構造の一実施形態を図２に示す。
モーター６に設けられたギア７がギア８を回転し、ギア８に固定されたギア９がギア１０を回転し、ギア１０に連結されたリンク１１で、リンク１２を動かす。リンク１２はぬいぐるみ、および人形の上半身に固定される。
【実施例】
【０００７】ぬいぐるみ、および人形が寝転ぶ時に、又は起きる時、音声による告知や、顔の表情の変化を設けたものでも良い。
【図面の簡単な説明】
【０００８】
【図１】この発明の設定時刻告知時の各形態を示す側面図である。
【図２】この発明の構造形態を示す側面図である。
【符号の説明】
１    ぬいぐるみ、および人形の上半身
２    ぬいぐるみ、および人形の下半身
３    寝ころぶ信号
４    起きる信号
５    時計部
６    モーター
７    歯車
８    歯車
９    歯車
１０  歯車
１１  リンク
１２  リンク（上半身固定）
【図１】
2008107308.tif 000003
【図２】
2008107308.tif 000004
(57)【要約】      （修正有）【解決手段】パッドと肌との接触部に横列に凸凹を付け、滑り止めとし、パッド自体はシリコン製ではなく従来のプラスチック製品を用いる鼻パッド。【効果】柔らかいシリコン製では、皮膚に装着して不快感があり、また滑る。凸凹をつけることにより、皮膚への接着面を少なくし、また滑り止めになる。【選択図】図１
2008107371.tif 000002
【特許請求の範囲】
【請求項１】
メガネパッドに横線、ディンプル、波形の凸凹をつける。その全てを範囲とする。形状、凸凹の深さは問わない。
【請求項２】
パッド素材はシリコン製ではなく、無色透明な従来のプラスチック製とする。
【発明の詳細な説明】
【技術分野】メガネの鼻パットに凸凹を施して、心地よく利用するメガネパットに関することである。
〔背景技術〕シリコン製のメガネパットは滑りにくいものとして、一度試したが、操着感がよくない。
〔発明開示〕柔らかいシリコン製では、皮膚に吸着して不快感がある、また滑る。
凸凹をつけることにより、皮膚への接着面を少なくし、また滑り止めになる。
〔課題を解決するための手段〕
パッドと肌との接触部に横列に凸凹を付け、滑り止めとし、パッド自体はシリコン製ではなく従来のプラスチック製品を用いる。
【図面の簡単な説明】
【図】
2008107371.tif 000003
【手続補正書】
【提出日】平成18年5月1日(2006.5.1)
【手続補正１】
【補正対象書類名】明細書
【補正対象項目名】全文
【補正方法】変更
【補正の内容】
【発明の詳細な説明】
【技術分野】
【０００１】  本発明はメガネの鼻パッドに凸凹を施して、メガネのすべり止め兼、パッドのかけ心地をよく利用するメガネパッドに関するものである。
また、従来の無色透明なパッドにカラーバリュエーションをつけ、コーディネートを楽しむことができるようにした。
【背景技術】
【０００２】  以前から滑りにくいメガネパッドが開発されたが、柔らかいシリコン製で、雨にぬれたり、汗をかいたときに鼻筋に吸着するようなフィーリングがあり、あまりつけ心地の良いものではない。
【発明の開示】
【０００３】  柔らかい平面のシリコン製より、つけ心地が良く、ストライプや輪形、そして、タートルバック（低いピラミッド形、）の凸凹を入れることによって、接着面を少なくし、摩擦抵抗をつけ、機能性を高める。
※客観的・・・シリコンにカラーバリュエーションをつけファッション性を加える。
【課題を解決するための手段】
【０００４】  パットに０．６ｍｍ〜０．８ｍｍの凸凹をつけ、接触面を少なくし、滑り止めとし、パット本体はシリコン製品ではなく、従来のプラスチック製品とする。
カラーバリュエーションはラインマーカーのようなうすい半透明色で、虹色の赤、オレンジ、黄色、黄緑、緑、ブルー、紫色プラスピンクの８色です。
【発明を実施するための最良の形態】
【０００５】形…男性用‥‥縦１６ｍｍ横８ｍｍ  だ円形プラスチック製
女性用‥‥縦１２ｍｍ横６ｍｍ  だ円形プラスチック製
色…従来の透明、黒以外に、赤、ピンク、オレンジ、黄色、黄緑、緑、ブルー、紫の８色。
［図１］（ストライプ型）
縦１ｍｍ横１ｍｍの溝をつけ、溝以外のところには凸面カーブをつけ、より接触面を少なくする。直径１ｍｍの通気孔を５×２で１０個つける。
［図２］（輪型）
縦１ｍｍ横１ｍｍ中心部１ｍｍの凸凹をつけ、タテ、ヨコ１ｍｍの通気孔を６個つける。
［図３］（タートルバック型）低いピラミッド型
タテ、ヨコ  ３ｍｍ
高さ        １ｍｍ
通気孔      直径１ｍｍ
【発明の効果】
【０００６】  従来の鼻パッドは接触面が平面であり、汗ばむとピッタリと鼻すじに吸着する様な感じで、ずれてくるし、特に夏場つけ心地のよいものではなかった。
もともと自分はアレルギー体質で、アトピーなので、肌がすぐ痒くなりますし、視力ももともと１．０はあったのですが、１５年前に白内障で手術し、メガネが必要になり、鼻筋がメガネをかけると痒くなるので、どうしたら良いものかと考え、発案しました。
パッドはメガネをかける上で、感覚的に肌との接触という面で一番気になるところですし、従来の固めのプラスチックパッドに凸凹をつければ、接触面も小さくなり、掛け心地もよくなります。更にカラーバリエーションをつければ、定期的に取りかえることもできます
ユーザーの方も８色あれば、好みの色を試して頂けると思います。ドライバー１つで、自分で取りかえできるので若い方から年輩の方にもどなたにも喜んで頂けると自信を持っております。
【図面の簡単な説明】
【０００７】
【図１】（ストライプ型）縦１ｍｍ横１ｍｍの溝をつけ、山にはカーブをつけ、谷には通気孔をつける。
【図２】（リング型）縦１ｍｍ横１ｍｍの凸凹をつけ、すき間に通気孔をつける。
【図３】（タートルバック型）タテ、ヨコ３ｍｍ  高さ１ｍｍ  通気孔直径１ｍｍ
【手続補正２】
【補正対象書類名】図面
【補正対象項目名】全図
【補正方法】変更
【補正の内容】
【図１】
2008107371.tif 000004
【図２】
2008107371.tif 000005
【図３】
2008107371.tif 000006
(57)【要約】【課題】番組開始直前または番組の運行状況による緊急での素材の送出開始時刻及び送出終了時刻等の送出設定を変更するステップを簡略化し、送出可能となるまでに要する時間を高速化すること。【解決手段】ビデオサーバに収録された各番組素材をプレイリストに従って読出し送出する放送番組送出システムにおいて、上記プレイリストの表示画面上で所定の番組素材の行を選択し、表示された対応する番組素材のプレビュー画面上で当該番組素材のプレビューおよび番組素材の送出開始時刻、送出終了時刻等の送出設定の変更を行うようにしたものである。【選択図】  図１
2008219218.tif 000002
【特許請求の範囲】
【請求項１】
ビデオサーバに収録された各番組素材をプレイリストに従って読出し送出する放送番組送出システムにおいて、上記プレイリストの表示画面上で所定の番組素材の行を選択し、表示された対応する番組素材のプレビュー画面上で当該番組素材のプレビューおよび送出設定変更を行うことを特徴とする放送番組送出システムの制御方法。
【請求項２】
請求項１において、上記プレビュー画面上でプレビュー再生した当該番組素材の送出開始点、終了点の変更を行うことを特徴とする放送番組送出システムの制御方法。
【発明の詳細な説明】
【技術分野】
【０００１】
本発明は、放送番組送出装置に関し、例えばテレビ放送局の報道部において、ニュース番組を収録して送出するニュース番組収録送出装置に適応して好適なものである。
【背景技術】
【０００２】
従来の放送素材の収録送出システムにおいては、ビデオサーバ等の映像音声送出装置を備え、該映像音声送出装置に、番組やＣＭ(コマーシャル)等の放送素材を収録し、編集して送出する。
この種の放送番組送出システムにおいては、ビデオサーバ等の映像音声送出装置に記録された各番組素材を、編集、再収録又は専用端末等で事前にプレビューを行い送出する。
【特許文献１】特開２００４−２７４５６８公報
【発明の開示】
【発明が解決しようとする課題】
【０００３】
このように、放送する番組素材を事前にビデオサーバなどの映像音声送出装置に記録し、各素材を送出操作機器画面上に表示されたプレイリストに従って、手動で順次送出する放送番組送出装置においては、送出素材の再生開始／終了箇所(マークイン／マークアウト)を変更する場合、素材の再収録または専用端末等でプレビューを行い再編集する必要があり、これらには何ステップもの工程が必要であり、ニュース番組の運行状況による緊急での素材の再生箇所の変更をすることが難しかった。
本発明はこれらの欠点を除去し、番組開始直前または番組の運行状況による緊急での素材の再生箇所の変更のステップを簡略化し、送出可能となるまでに要する時間を高速化することを目的とする。
【課題を解決するための手段】
【０００４】
本発明は上記目的を達成するため、ビデオサーバに収録された各番組素材をプレイリストに従って読出し送出する放送番組送出システムにおいて、上記プレイリストの表示画面上で所定の番組素材の行を選択し、表示された対応する番組素材のプレビュー画面上で当該番組素材のプレビューおよび送出設定変更を行うようにしたものである。
また、上記プレビュー画面上でプレビュー再生した当該番組素材の送出開始点、終了点の変更を行うものである。
【発明の効果】
【０００５】
本発明によれば、放送番組送出装置、例えば、ニュース番組を収録して送出するニュース番組送出装置において、ニュース番組開始直前またはニュース番組の運行状況による緊急での素材の送出開始時刻及び送出終了時刻等の送出設定を変更するステップを簡略化できるため、送出可能となるまでに要する時間を高速化することができる。
【発明を実施するための最良の形態】
【０００６】
以下、本システムの概略構成を示す図１、本システムの送出操作機器の操作画面を示す図２、操作機器画面によるプレビュー再生および送出時刻、送出箇所等の送出設定変更の操作画面を示す図３を用いて、本発明を詳細に説明する。
番組を構成する複数の素材１０１は事前にビデオサーバ１０２に収録される。また、上位システム(図示せず)で事前に作成され、データサーバ１０９を介してデータベース１１０に記録されたプレイリスト１０３に従って、送出操作機器１０４を操作し、ビデオサーバ１０２から順次、番組を送出する。
この放送番組送出装置において、送出操作機器１０４の送出操作画面(図２)にはプレイリスト２０１が表示されており、このプレイリスト２０１に従って順次送出操作を行う。
ここで、表示されているプレイリスト２０１から送出開始時刻、送出終了時刻等の送出設定を変更したい場合、表示されているプレイリスト２０１の任意の行(例えば２０２)を選択し、プレビュー操作ボタン２０３を実行する。
これにより、プレビュー操作画面３０１(図３)が表示され、送出操作機器１０４で再生等の必要な操作を行うことにより、ビデオサーバ１０２から対応する番組素材の再生映像音声１０５を取り込む。これによって、プレビュー画面３０２およびビデオサーバ１０２からの再生映像音声１０６のモニタリングにより、番組素材の映像音声を確認することが可能である。
また、プレビュー操作画面３０１において、プレビュー再生中の素材を必要な操作をすることによって、任意の点へ頭出しし、送出開始時刻(Ｓ．Ｏ．Ｍ)３０３および送出終了時刻(Ｅ．Ｏ．Ｍ)３０４を決定し、そのデータをデータベース１１０に保存する。
以上のように、更新したプレイリストデータ１０７をデータベース１１０に保存し、該保存された新プレイリストデータ１０８を送出操作機器１０４の送出操作画面上に読み直すことにより、プレイリスト２０１上の送出開始時刻および送出終了時刻等の送出設定が変更された対応する番組素材を送出することが可能となる。
【図面の簡単な説明】
【０００７】
【図１】本発明の番組収録送出システムの概略構成を示すブロック図
【図２】本発明の送出操作機器の操作画面を示す模式図
【図３】本発明の操作機器画面によるプレビュー再生及び送出設定変更操作画面を示す模式図
【符号の説明】
【０００８】
１０１：素材、１０２：ビデオサーバ、１０３，２０１：プレイリスト、１０４：送出操作機器、１０９：データサーバ、１１０：データベース、３０１：プレビュー操作画面。
【図１】
2008219218.tif 000003
【図２】
2008219218.tif 000004
【図３】
2008219218.tif 000005